(57)【特許請求の範囲】
【請求項１】
照射された光をそれぞれ互いに異なる色光に変換する複数のカラーフィルタを周方向に分割して備え、回転手段により回転されるカラーホイール本体と、
流体が収容される空間部を内部に備え、前記カラーホイール本体と一体に回転される環状の流体収容部と、
前記空間部を、前記流体収容部の回転方向に隣接する複数の収容室に区画するとともに、前記流体収容部の少なくとも回転状態で、前記収容室間での流体の往来を可能とする仕切り部と
を具備したことを特徴としたカラーホイール。
【請求項２】
仕切り部は、空間部内にて流体収容部の回転方向外側部に連続して設けられた板状をなし、かつ、収容室間を連通する往来連通部を備えている
ことを特徴とした請求項１記載のカラーホイール。
【請求項３】
往来連通部は、流体収容部に収容された流体の粘度に応じて開口量が設定される孔部である
ことを特徴とした請求項２記載のカラーホイール。
【請求項４】
回転を出力する出力部を備えた回転手段としてのモータと、
前記出力部に接続されて前記モータにより回転される請求項１ないし３いずれか一記載のカラーホイールと
を具備したことを特徴としたカラーホイール装置。
【請求項５】
光源と、
この光源から照射された光を複数の色光に変換する請求項４記載のカラーホイール装置と、
このカラーホイール装置のカラーホイールにより変換された色光を変調する光変調手段と、
この光変調手段により変調された光を投射する投射光学系と
を具備したことを特徴としたプロジェクタ装置。
【発明の詳細な説明】
【技術分野】
【０００１】
本発明は、照射された光をそれぞれ互いに異なる色光に変換する複数のカラーフィルタを周方向に分割して備えたカラーホイール、これを有するカラーホイール装置及びこれを備えたプロジェクタ装置に関する。
【背景技術】
【０００２】
従来、ＤＭＤ(Digital Micromirror Device(商品名))を備えたプロジェクタなどのプロジェクタ装置は、白色光源からの白色光を、回転するカラーホイールを透過させることで赤(Ｒ)、緑(Ｇ)及び青(Ｂ)などの色光に時分割し、これら色光についてそれぞれＤＭＤにより画像信号などに基づき光変調をして、この光変調された色光を投射光学系としての投射レンズ装置を介してスクリーンなどの投射面に投射する。
【０００３】
そして、投射面上の投射像は、色光毎に時分割で別々に投射されるが、各色光の投射像の投射を高速で切り換えることにより、投射像を観察する人間の目の残像効果により、あたかも各色光の色彩が合成された映像として視認できる。
【０００４】
上述のようなカラーホイールは、同心の円弧を内周と外周とにそれぞれ有し、厚みと半径とが等しい扇形の複数枚の薄いガラス板(セグメント板)と、これらガラス板が円弧の中心を一致させて環状に周方向に配置されるように支持する円板状の支持板すなわちハブとから構成され、各ガラス板は互いに径方向の端面を接合した状態で支持板に対して接着剤により固定され、あるいはこの支持板との接着に加えて隣接する各ガラス板同士の径方向の端縁が互いに接着剤により貼り合わされている。
【０００５】
すなわち、カラーホイールは、中心に円板状のハブが配置され、その周囲のガラス板面が環状に配置され、全体として薄い円板状となっている。
【０００６】
そして、各ガラス板は、白色光から所定の色光を透過するように予め誘電多層膜を蒸着したフィルタ面が形成されてカラーフィルタとなり、光透過特性が異なるフィルタ面がカラーホイールの周方向に隣接するように配設されている。
【０００７】
このようなカラーホイールを有するカラーホイール装置は、ハブがモータの出力部に連結され、フィルタ面が光源からの照射光に順次挿入されるように高速で回転されているため、白色の照射光は、フィルタ面によりカラーホイールの回転速度とフィルタ面の回転方向の幅とに応じた速さで、時分割に異なる色光に変調されてカラーホイールから出射する。
【０００８】
色光は、観察者に色光の切り換えがわからないように、かつ、よりよい画質を得るために、高速で切り換える必要があるため、カラーホイールの回転には、数千回転／分〜一万回転／分を越える回転数が要求される。
【０００９】
一方で、カラーホイールは、複数の扇形のガラス板を接合あるいは貼り合せた構造であるため、接合部や貼り合わせ部のずれ、あるいは接着剤の塗布量などにより、回転中心に対して重さに不均一が生じ、高速で回転させた際に振動が生じて騒音及び画質劣化の原因となることがある。
【００１０】
このため、従来、カラーホイールを取り付けたモータを回転バランス測定装置に設置し、カラーホイールのアンバランスを測定するとともに、ハブの一部を切削して凹部を設けたり、あるいは支持板に錘(バランス材)を付加したりすることにより、カラーホイールの回転バランスを取るものがある。
【００１１】
しかしながら、このようなカラーホイール装置では、ハブの一部の切削、あるいは錘の付加などの作業工数を要し、かつ、ハブの切削量、あるいは錘の付加量は、試行錯誤すなわちトライアンドエラーにより決定するため、作業工数がさらに増加してしまうという問題点を有している。
【００１２】
そこで、硬化性の液体とボールとを収容した容器をカラーホイールと一体に高速回転させ、硬化性の液体の流動及びボールの移動によりカラーホイールの回転バランスが取れる状態として、この状態で硬化性の液体を硬化させるカラーホイール装置が知られている（例えば、特許文献１参照。）。
【特許文献１】特開２００４−１９７９２２号公報（第５−７頁、図１−３）
【発明の開示】
【発明が解決しようとする課題】
【００１３】
しかしながら、上述の特許文献１に記載されたカラーホイール装置では、モータの回転により発生する微振動に起因する微小波が流体表面に発生し、この微小波により、硬化性の流体の位置が、カラーホイールの回転バランスが充分に取れた位置に安定しにくいという問題点を有している。
【００１４】
本発明は、このような点に鑑みなされたもので、回転バランスを容易に取ることができるカラーホイール、これを有するカラーホイール装置及びこれを備えたプロジェクタ装置を提供することを目的とする。
【課題を解決するための手段】
【００１５】
請求項１記載のカラーホイールは、照射された光をそれぞれ互いに異なる色光に変換する複数のカラーフィルタを周方向に分割して備え、回転手段により回転されるカラーホイール本体と、流体が収容される空間部を内部に備え、前記カラーホイール本体と一体に回転される環状の流体収容部と、前記空間部を、前記流体収容部の回転方向に隣接する複数の収容室に区画するとともに、前記流体収容部の少なくとも回転状態で、前記収容室間での流体の往来を可能とする仕切り部とを具備したものである。
【００１６】
そして、カラーホイール本体と一体に回転する流体収容部の流体が収容される空間部に仕切り部を設けて環状の流体収容部の回転方向に隣接する複数の収容室に区画し、これら収容室間で、流体収容部の回転時に流体が往来可能となるようにすることで、これら収容室間での流体の往来により流体収容部の回転時に流体に発生する微小波が抑制され、回転バランスが容易に取られる。
【００１７】
請求項２記載のカラーホイールは、請求項１記載のカラーホイールにおいて、仕切り部は、空間部内にて流体収容部の回転方向外側部に連続して設けられた板状をなし、かつ、収容室間を連通する往来連通部を備えているものである。
【００１８】
そして、仕切り部を空間部内の流体収容部の回転方向外側部に連続して設けた板状とし、この仕切り部に往来連通部を設けて収容室間を連通させることで、空間部に収容された流体が、流体収容部の回転時に収容室間で往来し易くなり、より容易に回転バランスが取られる。
【００１９】
請求項３記載のカラーホイールは、請求項２記載のカラーホイールにおいて、往来連通部は、流体収容部に収容された流体の粘度に応じて開口量が設定される孔部であるものである。
【００２０】
そして、往来連通部の開口量を、流体収容部に収容された流体の粘度に応じて設定することで、流体収容部に収容する流体の粘度を自由に選択できるため、バランス取り作業が最適化され、量産性が向上する。
【００２１】
請求項４記載のカラーホイール装置は、回転を出力する出力部を備えた回転手段としてのモータと、前記出力部に接続されて前記モータにより回転される請求項１ないし３いずれか一記載のカラーホイールとを具備したものである。
【００２２】
そして、回転バランスが容易に取れる請求項１ないし３いずれか一記載のカラーホイールを備えることで、製造性が向上する。
【００２３】
請求項５記載のプロジェクタ装置は、光源と、この光源から照射された光を複数の色光に変換する請求項４記載のカラーホイール装置と、このカラーホイール装置のカラーホイールにより変換された色光を変調する光変調手段と、この光変調手段により変調された光を投射する投射光学系とを具備したものである。
【００２４】
そして、カラーホイールの回転バランスが容易に取れる請求項４記載のカラーホイール装置を備えることで、製造性が向上するとともに、画質の低下及び騒音などが抑制される。
【発明の効果】
【００２５】
本発明によれば、回転バランスを容易に取ることができる。
【発明を実施するための最良の形態】
【００２６】
以下、本発明の第１の実施の形態の構成を図１ないし図６を参照して説明する。
【００２７】
図６において、１はプロジェクタ装置で、このプロジェクタ装置１は、光源としてのランプ２と、このランプ２から照射された光を時分割で各色光に変換するカラーホイール３を備えたカラーホイール装置としてのカラーホイールユニット４、このカラーホイールユニット４により変換された各色光の照度を均一化して導く照明光学系５、この照明光学系５で導かれた光を変調させる光変調手段としての表示素子すなわち表示デバイスであるＤＭＤ(Digital Micromirror Device(商品名))６、及び、このＤＭＤ６で変調された光線を図示しないスクリーンへと投射する投射光学系としてのレンズ鏡筒である投射レンズ装置７などを備えている。そして、このプロジェクタ装置１は、照明光学系５及びＤＭＤ６などが本体部としての図示しないフレーム体に取り付けられ、かつ、ランプ２、カラーホイールユニット４及び投射レンズ装置７などとともに外装筐体８内に収容されている。
【００２８】
なお、以下、ランプ２からスクリーンに向かう光線の光軸Ｏに沿って、スクリーン側を前側、ランプ２側を後側とし、光軸Ｏの後側から前側に向かって左右方向をそれぞれ左右方向として説明する。
【００２９】
ランプ２は、ハロゲンランプなどの白熱電球、あるいは超高圧水銀ランプなどの放電ランプである。
【００３０】
カラーホイール３は、図１及び図２に示すように、円板状のカラーホイール本体11と、このカラーホイール本体11と一体に回転される流体収容部としての管体である流体封入管12とを備えている。
【００３１】
カラーホイール本体11は、例えば透過型のもので、例えば赤(Ｒ)、緑(Ｇ)、青(Ｂ)、白(Ｗ)の各カラーフィルタ11r，11g，11b，11wが、それぞれ同心の円弧を内周と外周とに有し厚みと半径とがそれぞれ等しい扇形状に分割形成して円板状の支持板11sの周方向に例えば紫外線硬化樹脂などの接着剤により固定配置した円板状に形成され、光軸Ｏに対して略直交する方向に沿って配設されている。
【００３２】
各カラーフィルタ11r，11g，11b，11wは、例えばガラス板により設けられており、カラーフィルタ11r，11g，11bのそれぞれの表面、あるいは裏面には、それぞれ異なる波長域の光を透過する誘電多層膜が蒸着により形成されている。
【００３３】
すなわち、カラーフィルタ11rは、ランプ２から照射された白色光について赤色の波長域の光を透過する誘電多層膜が形成されている。同様に、カラーフィルタ11gは、ランプ２から照射された白色光について緑色の波長域の光を透過する誘電多層膜が形成され、カラーフィルタ11bは、ランプ２から照射された白色光について青色の波長域の光を透過する誘電多層膜が形成されている。なお、カラーフィルタ11wは、誘電多層膜が形成されておらず、ランプ２からの光をそのまま透過させる無色透明なフィルタである。
【００３４】
ここで、各カラーフィルタ11r，11g，11b，11wの中心角の大きさは、投射像の色調などに応じて適宜設定されている。
【００３５】
さらに、支持板11sは、例えば真鍮材、あるいはアルミ材などの金属により形成されている。
【００３６】
一方、流体封入管12は、カラーホイール本体11の後部すなわち背面側に取り付けられるもので、例えば真鍮材やアルミ材などの金属、あるいはポリカーボネイトなどの合成樹脂にて環状に形成され、図１及び図３に示すように、円環状の管本体部15と、この管本体部15の前部に取り付けられた封入管蓋体16とを有し、内部に空間部17が区画され、この空間部17内に流体Ｌ（図５）が収容すなわち封入されている。
【００３７】
管本体部15は、後側面となる円環状の後板部15aと、この後板部15aの外周縁から前方に突出し外周面となる外周縁部15bと、後板部15aの内周縁から前方に突出し内周面となる内周縁部15cとを備え、これら後板部15a、外周縁部15b及び内周縁部15cにより、前側を開口した溝部15dが区画されている。そして、内周縁部15cは、カラーホイール本体11の支持板11sの外径寸法と略等しい内径寸法を有している。
【００３８】
また、封入管蓋体16は、支持板11sの後部が挿入される蓋体孔部16aが中央部に形成され、溝部15dの前部開口を液密に閉塞するように溝部15dの周縁部に対して接着剤などにより接着固定されている。蓋体孔部16aは、支持板11sの外径寸法と略等しい内径寸法に形成され、流体封入管12をカラーホイール本体11の背面側に取り付けた状態で、支持板11sの後部が略隙間なく嵌る大きさとなっている。
【００３９】
空間部17は、溝部15dの前部開口を封入管蓋体16にて閉塞することで流体封入管12の内部に環状に密閉状に形成されている。したがって、流体封入管12は、封入管蓋体16を管本体部15に取り付けた状態で内部に空間部17を有する中空な円環状を呈している。また、空間部17内には、図３に示すように、防波壁となる複数の仕切り部としての仕切り板18が設けられ、これら仕切り板18により、空間部17は複数の収容室19に略等分に区画されている。
【００４０】
ここで、各仕切り板18は、図４及び図５に示すように、流体封入管12の回転方向外側部である外周部、すなわち外周縁部15b、及び、後板部15aに連続し、中心軸方向に沿って設けられ、内周縁部15cからそれぞれ離間されている。また、この仕切り板18は、前側すなわち図４及び図５に示す上側にて、封入管蓋体16に連続するように形成されている。さらに、各仕切り板18の前後方向中央部には、内周縁部15c側から外周縁部15b側へと略Ｖ字状に切り欠き形成された切欠部21が設けられている。そして、各仕切り板18には、複数、例えば４つの往来連通部としての孔部である丸孔状の連通孔22が穿設されている。
【００４１】
切欠部21は、仕切り板18の前後方向の中心位置に向けて前側と後側とが傾斜状となるように切り欠き形成されている。したがって、仕切り板18は、前側と後側とが、前後方向の中心位置と比較して流体封入管12の中心軸側に突出するように形成されている。そして、この切欠部21により、流体封入管12の内周縁部15c、後板部15a、仕切り板18及び封入管蓋体16の間で、収容室19間を連通する連通部としての孔部24が形成されている。この孔部24は、流体封入管12の回転初期に収容室19間で流体Ｌが往来可能となるように形成されている。なお、切欠部21の傾斜は、カラーホイール３（図１）が所定の回転速度で回転した際に流体Ｌが後板部15a、外周縁部15b及び封入管蓋体16に張り付いた状態で、孔部24から収容室19間で往来しないように、所定の回転速度で流体封入管12が回転して流体Ｌが移動した状態での断面形状に対応して設定されている。
【００４２】
各連通孔22は、外周縁部15bの近傍、すなわち流体封入管12の回転方向外側寄りに穿設されている。また、流体封入管12の前後方向の中心位置に対して前側に位置する連通孔22は、前側のものほど流体封入管12の回転方向の中心側に位置するように傾斜配列され、流体封入管12の前後方向の中心位置に対して後側に位置する連通孔22は、後側のものほど流体封入管12の回転方向の中心側に位置するように傾斜配列されている。
【００４３】
さらに、各連通孔22の開口量は、流体Ｌの粘度に応じて設定されている。例えば、粘度が低い流体Ｌに対しては、連通孔22を小さく(少なく)して流体Ｌの収容室19への保持力を高め、粘度が高い流体Ｌに対しては、連通孔22を大きく(多く)して収容室19間の流体Ｌの往来をし易くする。
【００４４】
各収容室19は、一対の仕切り板18，18、後板部15a、各周縁部15b，15c及び封入管蓋体16により扇形状に区画され、流体封入管12の回転方向に互いに隣接している。
【００４５】
そして、流体Ｌは、例えば流体封入管12の内部容積の半分以下の量が流体封入管12内に収容され、この流体封入管12の回転により遠心力で空間部17内を流動してカラーホイール本体11及び流体封入管12の回転バランスを取るもので、例えば磁性流体などであり、例えば封入管蓋体16にて溝部15dの前部開口を閉塞する前に予めこの溝部15dに注入されている。なお、この流体Ｌの種類、量、あるいは質量などは、カラーホイール本体11と流体封入管12との回転バランスのずれ量などを考慮して適宜設定するが、その際、空間部17内で流動可能となるように、空間部17内に空間を有するように収容する。
【００４６】
また、図１及び図２に戻って、カラーホイールユニット４は、カラーホイール本体11の各カラーフィルタ11r，11g，11b，11wが図４に示すランプ２の光線に順次当たるようにカラーホイール本体11を所定の速度で回転させる回転手段としてのモータ28を備え、このモータ28がカラーホイール３の後側に位置するように外装筐体８内に配置されている。
【００４７】
モータ28は、本実施の形態ではいわゆるアウタロータ型のものであり、最外部に位置した略円筒状の外装体である出力部としてのロータ31と、このロータ31の中心部に挿通された回転軸32と、この回転軸32と一体的に設けられた取付板33とを備えている。
【００４８】
ロータ31は、例えばアルミ材で円筒状に設けられた本体部としての側周部35と、例えば真鍮材などにより円筒状に形成され側周部35の軸方向の前端部に一体的に取り付けられた前端部36とを有している。さらに、このロータ31の内周面には、図示しない永久磁石が設けられ、この永久磁石は、回転軸32に一体的に設けられロータ31内に収容された図示しないコイルの外周面に対向している。そして、ロータ31は、前端部36の中心孔36aに回転軸32が圧入されていることにより取付板33に対して支持され、モータ28の駆動により回転軸32を中心として取付板33に対して相対的に回転する部分となる。
【００４９】
また、前端部36は、カラーホイール本体11の支持板11sと略等しい外径寸法を有しており、流体封入管12の内周縁部15cに挿入され、支持板11sの後面に略隙間なく当接し、かつ、これら内周縁部15c及び支持板11sに接着などにより一体的に固定されている。
【００５０】
さらに、回転軸32は、支持板11sの中心部に穿設された軸孔37に挿入されて後端側がコイルに挿入されるとともに取付板33に軸支部38を介して固定されている。この結果、モータ28のロータ31とカラーホイール３とが一体的に固定され、ロータ31とカラーホイール３とが一体に回転するようになっている。
【００５１】
取付部33は、ロータ31に対して径方向に突出した突出部33aを有し、この突出部33aに穿設された孔部33bに図示しない螺子などを挿入して螺子止めすることにより、モータ28が図６に示す外装筐体８側に固定される。
【００５２】
また、コイルは、図示しない複数のリード線を介して電源部などに接続され、この電源部から給電を受けている。
【００５３】
照明光学系５は、図６に示すように、カラーホイールユニット４で変換した各色光の光線の照度を均一化するとともに集光するレンズ部39と、このレンズ部39で照度を均一化され集光された光線をＤＭＤ６へと反射させるミラーM1，M2などを有している。
【００５４】
ＤＭＤ６は、照明光学系５により照度を均一化され集光された光線を、処理された映像信号に応じて変調させて反射する反射型素子であり、映像信号を処理する映像信号処理回路などの電子回路に実装されている。すなわち、プロジェクタ装置１は、いわゆる反射型のものである。
【００５５】
投射レンズ装置７は、フォーカス動作用の図示しないフォーカス環と、ズーム動作用のズーム環とをそれぞれ備え、略円筒状に形成されている。
【００５６】
次に、上記第１の実施の形態の動作を説明する。
【００５７】
モータ28の停止状態では、流体Ｌが重力下方向に溜まった状態となり、モータ28が駆動することでカラーホイール本体11と流体封入管12とが一体に回転すると、流体Ｌが回転時の遠心力により流体封入管12の空間部17内で外周縁部15b、後板部15a及び封入管蓋体16側に纏まって張り付く。
【００５８】
この状態で、カラーホイール３の回転バランスが偏っている場合には、流体Ｌがカラーホイール３とともに偏心回転する。すなわち、回転開始初期は流体Ｌが孔部24から収容室19間で往来してバランスが偏っているため、カラーホイール３が回転バランスを欠いた状態で回転する。
【００５９】
そして、モータ28の固有振動数によってロータ31を介してカラーホイール３が高速回転すると、遠心力が充分に発生し、空間部17内の流体Ｌの移動により、この空間部17内での流体Ｌの偏りが、流体質量と反対側へと位置する状態に移動し、回転バランスが取れた状態でカラーホイール３が回転する。
【００６０】
このとき、各収容室19では、流体Ｌの殆どが仕切り板18により他の収容室19への移動を防止されるとともに、これら仕切り板18に設けられた各連通孔22から、隣接する収容室19との間で流体Ｌの一部が往来し、モータ28の固有振動数での回転に伴う微振動に起因する流体Ｌの表面微小波が抑制される。
【００６１】
すなわち、上記第１の実施の形態によれば、カラーホイール本体11と一体的に流体封入管12が回転されると、流体封入管12内の流体Ｌが回転バランスを取るように移動することで、例えば回転バランス測定装置などにカラーホイールを取り付けて回転バランスを測定し、アンバランスに応じてカラーホイールなどを切削したり、錘を付加したりする従来のカラーホイール装置と比較して、回転バランス取りの工程が不要になり、かつ、空間部17を仕切り板18により流体封入管12の回転方向に互いに隣接する複数の収容室19に区画するとともに、仕切り板18に設けた連通孔22により収容室19間で流体Ｌの一部が往来可能となるように構成することで、カラーホイール３の回転時にモータ28の固有振動数に起因して流体Ｌに発生する微小波が抑制され、カラーホイール３の回転バランスを容易に取ることができる。
【００６２】
具体的に、収容室19を区画する各仕切り板18の外周縁部15b側に連通孔22をそれぞれ穿設することで、カラーホイール３の回転時に発生する遠心力により外周縁部15b側に移動した流体Ｌの一部が、連通孔22を介して確実に収容室19間で往来可能となる。
【００６３】
しかも、カラーホイール３は、プロジェクタ装置１の使用時には数千回転／分〜一万回転／分を越える回転数で高速回転されるため、回転初期にバランスを欠いた状態でカラーホイール３が回転されても、プロジェクタ装置１の実際の使用には何ら問題となることがない。
【００６４】
さらに、従来熟練を要していたカラーホイール３の回転バランス取りの工程が不要になることで、作業効率の改善が見込まれ、製造性を向上でき、製造コストを抑制できる。
【００６５】
そして、仕切り板18の前後方向の略中心部に略Ｖ字状の切欠部21を設けることで、流体封入管12に収容される流体Ｌの量が多い場合には、カラーホイール３の回転時に流体Ｌが切欠部21を乗り越えて各収容室19間を往来でき、カラーホイール３の回転バランスを、より容易に取ることができる。
【００６６】
また、粘度が低い流体Ｌに対しては、連通孔22を小さく(少なく)して流体Ｌの収容室19への保持力を高め、粘度が高い流体Ｌに対しては、連通孔22を大きく(多く)して収容室19間の流体Ｌの往来をし易くするなど、連通孔22の開口量を流体Ｌの粘度に応じて適宜設定することで、流体封入管12に収容する流体Ｌの粘度を自由に選択できるため、カラーホイール３のバランス取り作業を最適化でき、量産性を向上できる。
【００６７】
さらに、カラーホイール３の回転バランスを容易に取れるカラーホイールユニット４を備えることで、画質の低下及び騒音などを抑制したプロジェクタ装置１を提供できる。
【００６８】
次に、第２の実施の形態を図７を参照して説明する。なお、上記第１の実施の形態と同様の構成及び作用については、同一符号を付してその説明を省略する。
【００６９】
この第２の実施の形態は、上記第１の実施の形態の連通孔22に代えて、小径の多数の孔部が穿設されたパンチング板である往来連通部41が仕切り板18に複数取り付けられているものである。
【００７０】
これら往来連通部41は、例えば仕切り板18の前側に１つ、後側に１つ、互いに前後対称な位置に設けられており、外周縁部15bに連続するように形成されている。
【００７１】
そして、カラーホイール３の回転時には、互いに隣接する収容室19間で往来連通部41を介して流体Ｌの一部が往来して流体Ｌの表面微小波を抑制するなど、往来連通部41が上記第１の実施の形態の連通孔22と同様に作用することで、上記第１の実施の形態と同様の作用効果を奏することが可能になる。
【００７２】
また、小径の多数の孔部が穿設されたパンチング板状の往来連通部41を仕切り板18に取り付ける構成とすることにより、孔部の個数などを変えた往来連通部41を複数用意して、これら往来連通部41を選択することで、様々な開口量に容易に調整できる。
【００７３】
なお、上記第２の実施の形態において、例えば図８に示すように、往来連通部41を外周縁部15bよりも回転方向中心側に設ける構成としても、同様の作用効果を奏することが可能である。
【００７４】
また、上記各実施の形態において、カラーホイール３の回転時に収容室19間で流体Ｌの一部が往来可能となるように構成すれば、流体封入管12の構成などは、上記に限定されるものではない。
【００７５】
さらに、モータ28は、例えばいわゆるインナロータ型のものなど、様々な構成とすることが可能であり、また、カラーホイール３を、モータ以外の回転手段で回転させるように構成してもよい。
【００７６】
そして、カラーホイール本体11を、溝部15dの開口を閉塞する蓋体として兼用する構成とするなど、流体封入管12の形状及び構成などは、カラーホイール本体11と一体に回転可能で内部に流体Ｌを収容できる空間部17が形成されていれば、任意に選択できる。
【００７７】
また、収容室19は、個数が多すぎると流体Ｌの移動が円滑でなくなり、個数が少なすぎると効果が充分でない場合もあるので、両者のバランスを考慮して仕切り板18の個数を適宜設定する。
【００７８】
さらに、例えば製造時にカラーホイール３のバランスが取れた状態で流体Ｌを硬化させる場合には、流体封入管12の少なくとも一部に例えば透明な樹脂材などで形成した透明部、あるいは、光が透過可能な切欠部などを形成し、収容する流体Ｌを紫外線硬化樹脂(ＵＶ接着剤)などの光硬化性樹脂とし、カラーホイール本体11と流体封入管12とをモータ28に取り付けた状態で回転させ、回転バランスが取れた状態で、流体封入管12の外部から透明部を介して流体Ｌに光を照射して流体Ｌを硬化させることで、回転バランスが取れた状態のカラーホイール３を容易に製造できる。
【図面の簡単な説明】
【００７９】
【図１】本発明の第１の実施の形態のカラーホイールを備えたカラーホイール装置を示す分解斜視図である。
【図２】同上カラーホイール装置を示す側面図である。
【図３】同上カラーホイールの流体収容部を示す正面図である。
【図４】同上流体収容部を示す断面図である。
【図５】同上流体収容部の回転状態を示す断面図である。
【図６】同上カラーホイール装置を備えたプロジェクタ装置を示す説明図である。
【図７】本発明の第２の実施の形態のカラーホイールの流体収容部を示す断面図である。
【図８】同上カラーホイールの他の実施の形態の流体収容部を示す断面図である。
【符号の説明】
【００８０】
１    プロジェクタ装置
２    光源としてのランプ
３    カラーホイール
４    カラーホイール装置としてのカラーホイールユニット
６    光変調手段としてのＤＭＤ
７    投射光学系としての投射レンズ装置
11    カラーホイール本体
11r，11g，11b，11w    カラーフィルタ
12    流体収容部としての流体封入管
18    仕切り部としての仕切り板
19    収容室
22    往来連通部としての連通孔
28    回転手段としてのモータ
41    往来連通部
Ｌ    流体
【図１】
0004728766.tif 000002
【図２】
0004728766.tif 000003
【図３】
0004728766.tif 000004
【図４】
0004728766.tif 000005
【図５】
0004728766.tif 000006
【図６】
0004728766.tif 000007
【図７】
0004728766.tif 000008
【図８】
0004728766.tif 000009